(57)【要約】【課題】老人や体の不自由な人でも、笠木を手でしっかりと握ることができ、握ったままで手を滑らかに移動させながら安全に階段を昇降したり廊下を移動することができ、しかも、大きな荷物の昇降や移動の際にも支障とならず、さらに、握った手が汗や湿気で滑りにくく、また、笠木と手すりを別体で取り付けることによる無駄を省き、施工後長期にわたって寸法や反りや形状等の狂いの少ない手すり一体型笠木を提供する。【解決手段】手すり壁の上部端面に取り付ける木質の笠木であって、該笠木は前記手すり壁の上部端面に接する笠木部と該笠木部の上部に設けた把持部から構成されるようにした。【選択図】　　　　図２
2004108012.tif 000002
【特許請求の範囲】
【請求項１】
手すり壁の上部端面に取り付ける木質の笠木であって、該笠木は前記手すり壁の上部端面に接する笠木部と該笠木部の上部に設けられた把持部からなることを特徴とする手すり一体型笠木。
【請求項２】
前記把持部上面が凸型曲面であり、該凸型曲面の両脇に凹型曲面からなる裾を有し、前記把持部の凸型曲面と両裾の凹型曲面とが滑らかに連続して形成され、且つ前記笠木部と把持部が一体構造で形成されていることを特徴とする請求項１に記載の手すり一体型笠木。
【請求項３】
前記笠木が木質の集成材からなることを特徴とする請求項１又は２に記載の手すり一体型笠木。
【発明の詳細な説明】
【０００１】
【発明の属する技術分野】
本発明は、住宅、事務所等の建物に用いられる木質の笠木に関する。
【０００２】
【従来の技術】
住宅や事務所等の建物のボックス型階段の手すり壁や廊下の手すり壁において、該手すり壁の上部端面に笠木が通常設けられている。図４は従来の笠木の断面形状の一例を示し、図５は従来の笠木と手すりの取り付け状態を示す斜視図である。図４、図５において、符号１１は従来の手すり、１２は従来の手すり用ブラケット、１３は従来の笠木、３は手すり壁を示す。従来から有る笠木は図４に示すように、その断面形状において長方形のものが多く、該笠木の上部は通常平担面であり、手で握れるような形状にはなっていなかった。階段を昇降したり廊下を移動する際に、せいぜい手を添える程度であった。従来は手で握る機能を持った手すりと手すり壁の上端面を化粧するための笠木とは別々のものであった。
【０００３】
老人や体の不自由な人が同居する家庭においては階段、廊下で特に手でしっかりと把持できる形状の手すりが必要とされ、前記、手を添える機能しか持たない笠木では、階段昇降時や廊下移動時に手が滑って躓く危険があったりして安全性が十分確保できなかった。
【０００４】
そこで、図５に示すように、従来の場合は、手すり壁３に笠木１３とは別に手すり１１を後付で取り付けることになるが、手すり１１を取り付ける場合、笠木１３とは関係なく、手すり壁３の側面にブラケット１２を木ネジ等で壁面の所定位置に取り付け、該ブラケット１２に手すり１１を固定するのが通常であった。
【０００５】
また、笠木表面に細工して滑り止め機能を持たせようとしたものも考えられた。（例えば、特許文献１参照。）。また、従来の手すりは木質のものもあったが、コスト的に安価なことや強度的に安定していることなどから金属製又は合成樹脂製のものが多く用いられてきた。
【０００６】
【特許文献１】
実開昭６４−２９４２３号公報（第１頁、第１〜１６図）
【０００７】
【発明が解決しようとする課題】
しかしながら、階段や廊下の手すり壁において、手すり壁の壁面にブラケットを取り付け、該ブラケットに手すりを固定した場合は、手すりが階段側に突出するので階段有効幅が狭くなって大きな荷物の上げ下ろしや移動の際大きな支障となっていた。
【０００８】
また、金属製や合成樹脂製の手すりは部屋の湿度が異常に高くなったりすると手すり表面に結露が生じたり、手のひらから発散する汗などによる湿気を吸収しないので、階段昇降時や廊下移動時に手が滑って大変危険である。この点、笠木が木質であると、手の汗などの湿気を有効に吸湿し手が滑るなどの危険がない。
【０００９】
また、実開昭６４−２９４２３号公報に記載の笠木のように、断面形状が略円形で、笠木表面に細かな細工を施して滑り止め機能を持たせようとしたものも考えられたが、断面円形でしかも、くびれ部分がないので手で握りにくく、また、笠木表面の凹凸は笠木を把持して階段を昇降したり廊下を移動する際、笠木を握った手を笠木上を移動させるには、手がつかえてかえって不便であった。
【００１０】
本発明の目的は、木質の笠木部の上部に握りやすい把持部を設けることで、老人や体の不自由な人でも、笠木を手でしっかりと握ることができ、握ったままで手を滑らかに移動させながら安全に階段を昇降したり廊下を移動することができ、しかも階段側に把持部が突出しないので、大きな荷物の昇降や移動の際にも支障とならず、さらに、木質製ゆえ握った手が汗や湿気で滑りにくく、また、笠木部と把持部を一体構造で形成することで、笠木と手すりを別体で取り付けることによる無駄を省き、施工後長期にわたって寸法や反りや形状等の狂いの少ない手すり一体型笠木を提供することにある。
【００１１】
【課題を解決するための手段】
上記目的を達成するために本発明に係る請求項１に記載の手すり一体型笠木は、手すり壁の上部端面に取り付ける木質の笠木であって、該笠木は前記手すり壁の上部端面に接する笠木部と該笠木部の上部に設けられた把持部からなることを特徴とする。
【００１２】
係る構成から、笠木の上面に把持部を設けることで、老人や体の不自由な人でも手で笠木をしっかりと把持でき、把持したままで手を移動させながら、安全に階段を昇降したり廊下を移動することができ、しかも階段側に笠木が突出しないので、大きな荷物の昇降や移動の際にも支障とならない。さらに、笠木が木質製であるので、手の汗などの水分を適度に吸収し、握った手が汗や湿気で滑ることがなく大変安全性が高い。
【００１３】
また、本発明の請求項２に記載の手すり一体型笠木は、請求項１に記載の手すり一体型笠木において、前記把持部上面が凸型曲面であり、該凸型曲面の両脇に凹型曲面からなる裾を有し、前記把持部の凸型曲面と両裾の凹型曲面とが滑らかに連続して形成され、且つ前記笠木部と把持部が一体構造で形成されていることを特徴とする。
【００１４】
係る構成から、笠木上面に設けられた前記把持部が凸型形状となっているので、笠木を手で握る際に大変握り易く、階段昇降時、廊下移動時において、特に老人や体の不自由な人にとって、しっかりと把持可能であり、よりいっそう安全性が高い。
【００１５】
さらに、前記凸型形状の両脇部分には、凹型曲面を有する裾が設けられ前記把持部の凸型曲面と両裾の凹型曲面とが滑らかに連続して形成されているので、笠木に手を添えて凸型の把持部を手で握った時、指の先端が前記凹型曲面に触れ、昇降したり移動したりする体の動きに合わせて手の平が前記凸型曲面上を、また、手指の先が凹型曲面上を滑らかに移動するので、手指の感触が自然で、しかも把持部にフィットし、把持適性に優れたものとなり、手で握ったままで階段を昇降したり、廊下を移動したりする際に好適である。また、前記笠木部と把持部が一体構造で形成されているので、笠木と手すりを別体で取り付けることによる無駄を省くことができる。
【００１６】
また、本発明の請求項３に記載の手すり一体型笠木は、請求項１又は２のいずれかに記載の手すり一体型笠木において、前記笠木が木質の集成材からなることを特徴とする。
【００１７】
係る構成から、本発明の笠木は木質の集成材からなるので、施工後、湿気や水分によって笠木の寸法が狂ったり、反りが発生したり、形状が変形したりすることなく長期に安定したものとなる。
【００１８】
【発明の実施の形態】
以下、図面を参考にして本発明の実施の形態の一例を説明する。図１は本発明の手すり一体型笠木の取り付け状態を示す側面図である。図２の（イ）は本発明の手すり一体型笠木の実施形態の一例を示す斜視図、（ロ）はその断面図である。図３は本発明の手すり一体型笠木の断面形状のバリエ−ションの例を示す。図１において、符号１は階段部分、２は廊下部分、３は手すり壁、４は本発明の手すり一体型笠木を示す。図２において、符号ｈは把持部、ｓは裾、ｋは笠木部を示す。
【００１９】
図１において、階段部分１、廊下部分２に手すり壁３が設けられた階段構造の場合、該手すり壁３の上部端面に本発明の手すり一体型笠木４を取り付ける。このようにして、手すり一体型笠木４を取り付けると、従来型手すりを別体として取り付ける必要がなく、従って、手すり壁３から階段側へ突出させないので、階段幅が減少するといった問題点が解消する。
【００２０】
さらに、前記手すり一体型笠木４は、図２にその代表例を示すように、前記手すり壁３の上部端面に接する笠木部ｋと該笠木部ｋの上部に設けられた把持部ｈとから構成されている。本発明の手すり一体型笠木４は、前記笠木部ｋの上部に把持部ｈが設けられているので、老人や体の不自由な人でも把持部ｈをしっかりと手で握ることができるので、安全に階段を昇降したり廊下を移動することができる。
【００２１】
また、本発明の手すり一体型笠木４は把持部ｈの上面が凸型曲面を有しており、該凸型曲面の両脇に凹型曲面からなる裾ｓを有している。前記把持部ｈの凸型曲面と両脇に設けられた裾ｓの凹型曲面とが滑らかに連続して形成されており、笠木部ｋと把持部ｈが一体構造で形成されているので、手を添えて凸型の把持部ｈを握った際に手指の先が、前記凹型曲面に触れ、体の移動に伴って手の平が前記凸型曲面上を、また、手指の先が前記凹型曲面上を滑らかに移動するので、手指の感触が自然で、しかも把持部ｈにフィットし、把持適性に優れたものとなるので、手で握ったままで大変滑らかに階段を昇降したり、廊下を移動したりできる。また、前記笠木部ｋと把持部ｈが一体構造で形成されているので、笠木と手すりを別体で取り付けることによる無駄を省くことができる。
【００２２】
また、本発明の手すり一体型笠木４は木質の集成材からなるので、施工後、長期にわたって寸法が狂ったり反りが発生したり、形状が変形したりすることが少なく、長期に安定したものとなる。
【００２３】
また、図３に示すように、本発明の手すり一体型笠木はその断面形状において、さまざまな形状のものがバリエ−ションとして考えられるが、もちろんこれらの形状に限定されるものではない。
【００２４】
本発明の手すり一体型笠木４を製造する方法を以下にのべる。材質は木質の集成材であり、例えば、一例として、ナラ、タモ、ニレ、セン、ケヤキ、スギ、ヒノキなどの和材の他、チ−ク、オ−ク、パイン、シタン、コクタンなどの洋材が使用される。製材ラミナどうしをユリア、メラミン、ウレタン樹脂系接着剤等で積層接着し、積層ブロックを作製する。次にこの積層ブロックを適当なサイズに小割した後、モルダ−などの加工機械を用いて所定の断面形状に削り出す。続いて表面をプロフィルサンダ−等を用いて表面研削し、次に熱硬化型又は紫外線硬化型のウレタン樹脂塗料、アミノアルキッド樹脂塗料などを用いて自動スプレ−塗装機、真空塗装機などで塗装仕上げする。
【００２５】
手すり壁３への取り付け方法は、通常の笠木を取り付ける方法でよい。接着剤を併用し、釘、ステ−プル、木ネジ等で取り付けるとよい。
【００２６】
【発明の効果】
以上のように本発明に係る手すり一体型笠木によれば、笠木部の上部に把持部を設けることで、老人や体の不自由な人でも、笠木をしっかりと確実に握ることができ、安全に階段を昇降したり廊下を移動することができ、しかも階段側に把持部が突出しないので、大きな荷物の昇降や移動の際にも支障とならない。また、笠木が木質であるので、握った手が汗や湿気で滑ることがなく大変安全性が高い。
【００２７】
また、前記把持部上面が凸型曲面であり、該凸型曲面の両脇に凹型曲面からなる裾を有し、前記把持部の凸型曲面と両裾の凹型曲面とが滑らかに連続して形成されているので、笠木を手で握る際に大変握り易く、階段昇降時、廊下移動時において、特に老人や体の不自由な人にとって安全である。さらに、手を添えて凸型の把持部を手で握った時、指の先端が前記凹型曲面に触れ、昇降したり移動したりする体の動きに合わせて手の平が前記凸型曲面上を、また、手指の先が凹型曲面上を滑らかに移動するので、手指の感触が自然で、しかも把持部にフィットし把持適性に優れたものとなる。
【００２８】
また、笠木部と把持部を一体構造で形成することで、笠木と手すりを別体で取り付けることによる無駄を省くことができる。
【００２９】
また、本発明の笠木は木質の集成材からなるので、施工後、湿気や水分によって笠木の寸法が狂ったり、反りが発生したり、形状が変形したりすることが少なく、長期に安定したものとなる。
【図面の簡単な説明】
【図１】本発明の手すり一体型笠木の取り付け状態を示す側面図。
【図２】
（イ）本発明の手すり一体型笠木の実施形態の一例を示す斜視図。
（ロ）本発明の手すり一体型笠木の実施形態の一例を示す断面図。
【図３】本発明の手すり一体型笠木の断面形状のバリエ−ションの例を示す。
【図４】従来の笠木の一例を示す断面図。
【図５】従来の笠木と手すりの取り付け状態を示す斜視図。
【符号の説明】
１　　　階段部分
２　　　廊下部分
３　　　手すり壁
４　　　本発明の手すり一体型笠木
ｈ　　　把持部
ｓ　　　裾
ｋ　　　笠木部
１１　　従来の手すり
１２　　従来の手すり用ブラケット
１３　　従来の笠木
【図１】
2004108012.tif 000003
【図２】
2004108012.tif 000004
【図３】
2004108012.tif 000005
【図４】
2004108012.tif 000006
【図５】
2004108012.tif 000007